(57)【要約】【課題】  分割された鍵盤ケースの端部から内部が見えず、ごみなどの異物の侵入を防げる鍵盤装置を提供する。【解決手段】  ２つに分割された第１、第２鍵盤ケース１、２と、この第１、第２鍵盤ケース１、２の分割された端部６、７同士を回動可能に連結するヒンジ部３と、第１、第２鍵盤ケース１、２にそれぞれ設けられた第１、第２鍵盤部４、５と、第１、第２鍵盤ケース１、２の端部６、７に跨って連結されて第１、第２鍵盤ケース１、２が重なって閉じるときに第１、第２鍵盤ケース１、２の端部６、７の各対向面を覆うカバー部材８とを備えた。従って、第１、第２鍵盤ケース１、２が重なるときに、カバー部材８によって第１、第２鍵盤ケース１、２の端部６、７の各対向面を覆って塞ぐことができるので、第１、第２鍵盤ケース１、２の各端部６、７から内部が見えないように隠し、第１、第２鍵盤ケース１、２内にごみなどの異物の侵入を防ぐことができる。【選択図】        図１８
2008033216.tif 000002
【特許請求の範囲】
【請求項１】
複数に分割された複数の鍵盤ケースと、
この複数の鍵盤ケースの分割された端部同士を回動可能に連結するヒンジ部と、
前記複数の鍵盤ケースにそれぞれ複数の鍵が配列されて設けられ、前記ヒンジ部を中心に前記複数の鍵盤ケースが回動して開いたときに前記鍵の全てが前記複数の鍵盤ケースに亘って等間隔で連続して配列される複数の鍵盤部と、
前記ヒンジ部で連結された前記複数の鍵盤ケースの前記端部同士に跨って連結され、前記ヒンジ部を中心に前記複数の鍵盤ケースが回動して互いに重なって閉じるときに前記複数の鍵盤ケースにおける前記端部同士の各対向面を覆うカバー部材と
を備えたことを特徴とする鍵盤装置。
【請求項２】
前記ヒンジ部を中心に前記複数の鍵盤ケースが回動するときに、その回動動作に応じて前記カバー部材を連動させる連動機構を備えていることを特徴とする請求項１に記載の鍵盤装置。
【請求項３】
前記カバー部材は、前記ヒンジ部を中心に前記複数の鍵盤ケースが回動して互いに重なって閉じるときに前記複数の鍵盤ケースの分割された前記端部同士の各対向面に対応するカバー部と、このカバー部の前後端における少なくとも一方の端部に設けられて前記複数の鍵盤ケースの分割された前記端部同士に跨って連結される連結片とからなり、
前記連動機構は、前記複数の鍵盤ケースの分割された前記端部同士における一方の端部側と前記カバー部材の前記連結片とを回動可能に連結する固定軸と、前記複数の鍵盤ケースの分割された前記端部同士における他方の端部側に回動可能に取り付けられて前記カバー部材の前記連結片に設けられたガイド溝内を移動する移動軸とを備えていることを特徴とする請求項２に記載の鍵盤装置。
【請求項４】
前記移動軸には歯車が設けられており、前記連結片には前記歯車が噛み合って転動するラックが前記ガイド溝に沿って設けられていることを特徴とする請求項３に記載の鍵盤装置。
【請求項５】
前記連結片は、前記カバー部の端部に一体に形成された連結本体部と、この連結本体部に着脱可能に取り付けられた連結蓋部とを備え、前記連結本体部には、前記固定軸が挿入する軸孔と、前記移動軸が移動可能に挿入する前記ガイド溝と、前記移動軸に設けられた前記歯車が噛み合って転動する前記ラックとが設けられ、前記連結蓋部は前記固定軸と前記移動軸との各外端部を覆って前記軸孔と前記ガイド溝とを塞ぐことを特徴とする請求項３または４に記載の鍵盤装置。
【請求項６】
前記ヒンジ部は前記複数の鍵盤ケースの分割された前記端部同士の上面に設けられ、前記カバー部材は前記カバー部の前後端にそれぞれ前記連結片を設けた構成で、前記連動機構は前記複数の鍵盤ケースの分割された前記端部同士側に位置する各前後面部にそれぞれ設けられていることを特徴とする請求項３〜５のいずれかに記載の鍵盤装置。
【請求項７】
前記複数の鍵盤ケースの分割された前記端部同士の各内縁部には、それぞれ補強部材が設けられていることを特徴とする請求項１〜６のいずれかに記載の鍵盤装置。
【発明の詳細な説明】
【技術分野】
【０００１】
この発明は、電子ピアノなどの折り畳み式の鍵盤装置に関する。
【背景技術】
【０００２】
従来、電子ピアノなどの鍵盤装置においては、多数の鍵を配列させる必要があるため、鍵盤ケースが鍵の配列方向に長い形状に形成されている。このような鍵盤装置は、持ち運びに不便であるため、特許文献１に記載されているように、鍵盤ケースを鍵の配列方向に対して２つに分割し、この分割された鍵盤ケースにそれぞれ鍵盤部を分割して設けると共に、この分割された鍵盤ケースの端部同士を連結金具で折り畳み可能に連結した折り畳み式のものが知られている。
【特許文献１】実開昭６０−１３５７９７号
【発明の開示】
【発明が解決しようとする課題】
【０００３】
しかしながら、このような従来の鍵盤装置では、分割された鍵盤ケースの端部同士を連結金具で折り畳み可能に連結した構成であるから、分割された鍵盤ケースを折り畳んでコンパクトに持ち運ぶことはできても、連結金具で連結された鍵盤ケースの端部同士が開放されているため、この開放された各端部から鍵盤ケースの内部が見えてしまうばかりか、開放された各端部からごみや塵埃などの異物が鍵盤ケース内に侵入し、鍵操作に支障を来すおそれがあるという問題がある。
【０００４】
この発明が解決しようとする課題は、分割された鍵盤ケースの端部から内部が見えることがなく、ごみなどの異物の侵入を防ぐことができる鍵盤装置を提供することである。
【課題を解決するための手段】
【０００５】
この発明は、上記課題を解決するために、次のような構成要素を備えている。
請求項１に記載の発明は、複数に分割された複数の鍵盤ケースと、この複数の鍵盤ケースの分割された端部同士を回動可能に連結するヒンジ部と、前記複数の鍵盤ケースにそれぞれ複数の鍵が配列されて設けられ、前記ヒンジ部を中心に前記複数の鍵盤ケースが回動して開いたときに前記鍵の全てが前記複数の鍵盤ケースに亘って等間隔で連続して配列される複数の鍵盤部と、前記ヒンジ部で連結された前記複数の鍵盤ケースの前記端部同士に跨って連結され、前記ヒンジ部を中心に前記複数の鍵盤ケースが回動して互いに重なって閉じるときに前記複数の鍵盤ケースにおける前記端部同士の各対向面を覆うカバー部材とを備えたことを特徴とする鍵盤装置である。
【０００６】
請求項２に記載の発明は、前記ヒンジ部を中心に前記複数の鍵盤ケースが回動するときに、その回動動作に応じて前記カバー部材を連動させる連動機構を備えていることを特徴とする請求項１に記載の鍵盤装置である。
【０００７】
請求項３に記載の発明は、前記カバー部材が、前記ヒンジ部を中心に前記複数の鍵盤ケースが回動して互いに重なって閉じるときに前記複数の鍵盤ケースの分割された前記端部同士の各対向面に対応するカバー部と、このカバー部の前後端における少なくとも一方の端部に設けられて前記複数の鍵盤ケースの分割された前記端部同士に跨って連結される連結片とからなり、前記連動機構は、前記複数の鍵盤ケースの分割された前記端部同士における一方の端部側と前記カバー部材の前記連結片とを回動可能に連結する固定軸と、前記複数の鍵盤ケースの分割された前記端部同士における他方の端部側に回動可能に取り付けられて前記カバー部材の前記連結片に設けられたガイド溝内を移動する移動軸とを備えていることを特徴とする請求項２に記載の鍵盤装置である。
【０００８】
請求項４に記載の発明は、前記移動軸に歯車が設けられており、前記連結片には前記歯車が噛み合って転動するラックが前記ガイド溝に沿って設けられていることを特徴とする請求項３に記載の鍵盤装置である。
【０００９】
請求項５に記載の発明は、前記連結片が、前記カバー部の端部に一体に形成された連結本体部と、この連結本体部に着脱可能に取り付けられた連結蓋部とを備え、前記連結本体部には、前記固定軸が挿入する軸孔と、前記移動軸が移動可能に挿入する前記ガイド溝と、前記移動軸に設けられた前記歯車が噛み合って転動する前記ラックとが設けられ、前記連結蓋部は前記固定軸と前記移動軸との各外端部を覆って前記軸孔と前記ガイド溝とを塞ぐことを特徴とする請求項３または４に記載の鍵盤装置である。
【００１０】
請求項６に記載の発明は、前記ヒンジ部が前記複数の鍵盤ケースの分割された前記端部同士の上面に設けられ、前記カバー部材は前記カバー部の前後端にそれぞれ前記連結片を設けた構成で、前記連動機構は前記複数の鍵盤ケースの分割された前記端部同士側に位置する各前後面部にそれぞれ設けられていることを特徴とする請求項３〜５のいずれかに記載の鍵盤装置である。
【００１１】
請求項７に記載の発明は、前記複数の鍵盤ケースの分割された前記端部同士の各内縁部に、それぞれ補強部材が設けられていることを特徴とする請求項１〜６のいずれかに記載の鍵盤装置である。
【発明の効果】
【００１２】
この発明によれば、ヒンジ部を中心に複数に分割された複数の鍵盤ケースを回動させて開くと、複数の鍵盤ケースにそれぞれ設けられた複数の鍵盤部の全ての鍵が複数の鍵盤ケースに亘って等間隔で連続して配列されるので、通常の鍵盤装置と同じ鍵操作をして演奏することができる。また、ヒンジ部を中心に複数の鍵盤ケースを回動させて閉じると、複数の鍵盤ケースが互いに重なるので、コンパクトに持ち運ぶことができる。
【００１３】
このときには、複数の鍵盤ケースの分割された端部同士に跨ってカバー部材が連結されているので、ヒンジ部を中心に複数の鍵盤ケースが回動して互いに重なるときに、複数の鍵盤ケースの分割された端部同士の各対向面をカバー部材によって覆って塞ぐことができる。このため、カバー部材によって複数の鍵盤ケースの分割された各端部から各鍵盤ケースの内部が見えないように隠すことができると共に、複数の鍵盤ケースの分割された各端部からごみなどの異物が各鍵盤ケース内に侵入するのを防ぐことができる。
【発明を実施するための最良の形態】
【００１４】
（実施形態１）
以下、図１〜図２４を参照して、この発明を適用した鍵盤装置の実施形態１について説明する。
図１はこの発明の鍵盤装置を開いて使用する状態を示した平面図、図２はその正面図、図３はその背面図、図４はその底面図である。
この鍵盤装置は、図１〜図４に示すように、左右２つに分割された第１、第２鍵盤ケース１、２と、この第１、第２鍵盤ケース１、２を折り畳み可能に連結するヒンジ部３と、第１、第２鍵盤ケース１、２にそれぞれ設けられた第１、第２鍵盤部４、５と、第１、第２鍵盤ケース１、２の分割された端部６、７同士に跨って取り付けられたカバー部材８とを備えている。
【００１５】
第１鍵盤ケース１は、図５および図６に示すように、上ケース部１０と下ケース部１１とを備えている。上ケース部１０には、第１鍵盤部４が配置される鍵盤収納部１０ａが左端部側を除いて手前側と右端部６側とに開放されて設けられており、この上ケース部１０の左上側には、スピーカ部１２が設けられている。また、下ケース部１１の下面には、ゴム足９が設けられている。この第１鍵盤ケース１の第１鍵盤部４は、多数の鍵４ａが鍵盤収納部１０ａに対応して配列されている。この第１鍵盤部４の右端部に位置する鍵４ａは、第１鍵盤ケース１の開放された右端部６に位置し、その右側面が外部に露出する状態で配置されている。
【００１６】
また、第２鍵盤ケース２は、図５および図６に示すように、上ケース部１３と下ケース部１４とを備えている。上ケース部１３には、第１鍵盤ケース１の上ケース部１０と同様、第２鍵盤部５が配置される鍵盤収納部１３ａが右端部側を除いて手前側と左端部７側とに開放されて設けられており、この上ケース部１３の右上側には、スピーカ部１２が設けられている。また、下ケース部１４の下面にも、第１鍵盤ケース１の下ケース部１１と同様、ゴム足９が設けられている。
【００１７】
この第２鍵盤ケース２の第２鍵盤部５は、多数の鍵５ａが鍵盤収納部１３ａに対応して配列されている。この第２鍵盤部５の左端部に位置する鍵５ａは、第２鍵盤ケース２の開放された左端部７に位置し、その左側面が外部に露出する状態で配置されている。これにより、第１、第２鍵盤部４、５は、図１、図２および図５（ａ）に示すように、第１、第２鍵盤ケース１、２を開いたときに、第１、第２鍵盤部４、５の全ての鍵４ａ、５ａが同じ間隔で第１、第２鍵盤ケース１、２に沿って連続して配列されるように構成されている。
【００１８】
この場合、第１鍵盤ケース１の上ケース部１０における分割された端部６には、図５（ａ）および図１１に示すように、ヒンジ部３の中間部に位置する中間ヒンジカバー部３ａが半円弧状に形成されており、この中間ヒンジカバー部３ａ内には、図１１に示すように、後述するヒンジ補強筒１５が配置されている。また、第２鍵盤ケース２の上ケース部１３における分割された端部７には、図５（ａ）および図１２に示すように、ヒンジ部３の両端部に位置する端部ヒンジカバー部３ｂがほぼ円弧状にそれぞれ形成されており、この両側の端部ヒンジカバー部３ｂ内には、図１２に示すように、後述するヒンジ補強部１６、２８が配置されている。
【００１９】
これにより、ヒンジ部３は、図１１および図１２に示すように、端部ヒンジカバー部３ｂで覆われたヒンジ補強部１６、２８のうち、ヒンジ補強部２８にヒンジ軸１７が設けられ、このヒンジ軸１７が中間ヒンジカバー部３ａで覆われたヒンジ補強筒１５内に回動可能に挿入され、図６に示すように、第１鍵盤ケース１の上ケース部１０の分割された端部６と、第２鍵盤ケース２の上部ケース部１３の分割された端部７とを回動可能に連結することにより、第１、第２鍵盤ケース１、２を折り畳み可能に連結するように構成されている。
【００２０】
ところで、第１鍵盤ケース１の下ケース部１１における分割された端部６には、図８（ａ）〜図８（ｄ）に示すように、第１、第２補強部材１８、１９が設けられている。第１補強部材１８は、図８（ｂ）に示すように、金属板を長手方向に沿って逆Ｌ字形状に折り曲げたものであり、図８（ａ）に示すように、下ケース部１１の端部６における内縁部に第１鍵盤部４と対応した状態でビス止めされている。この第１補強部材１８の手前側の前端部には、図８および図９に示すように、カバー部材８を取り付けるためのカバー取付補強部２０が折り曲げにより設けられている。
【００２１】
このカバー取付補強部２０は、図９（ａ）〜図９（ｃ）に示すように、その所定個所に軸取付孔２０ａとビス取付孔２０ｂとが設けられ、図８（ａ）および図８（ｃ）に示すように、下ケース部１１の端部６側に位置する前面部６ａ（図１の手前側面）の内面に対面し、軸取付孔２０ａが下ケース部１１の端部６側に位置する前面部６ａに設けられた軸貫通孔１１ａ（図５（ｂ）参照）に対応した状態で、ビス取付孔２０ｂによって下ケース部１１の端部６側に位置する前面部６ａにビス止めされている。
【００２２】
また、この第１補強部材１８の後端部（図８（ａ）では上辺側の端部）には、図８（ａ）および図８（ｂ）に示すように、ヒンジ部３を補強するための第１ヒンジ補強板２１がビス止めされている。この第１ヒンジ補強板２１は、図１１に示すように、下ケース部１１の端部６における内縁部に起立した状態でヒンジ部３と対応して設けられ、この起立した上部に、図１１に示すように、ヒンジ部３の中間ヒンジカバー部３ａで覆われるヒンジ補強筒１５がビス止めされている。
【００２３】
また、第１鍵盤ケース１の第２補強部材１９は、図８（ｄ）に示すように、帯状の金属板からなり、下ケース部１１と上ケース部１０との両方の後面部（図１の背面）に跨って配置された状態で、下ケース部１１の後面に取り付けられている。この第２補強部材１９における下ケース部１１の端部６側に位置する部分には、ヒンジ部３の端部ヒンジカバー部３ｂに対応するヒンジ補強部２２が折り曲げにより設けられている。このヒンジ補強部２２には、カバー部材８を取り付けるためのカバー取付補強部２３が下ケース部１１の後面に対面するように設けられている。
【００２４】
このカバー取付補強部２３も、図８（ｄ）に示すように、その所定個所に軸取付孔２３ａとビス取付孔２３ｂとが設けられ、下ケース部１１の端部６側に位置する後面部６ｂ（図１の背面）の内面に対面し、軸取付孔２３ａが下ケース部１１の端部６側に位置する後面部６ｂに設けられた軸貫通孔１１ａ（図５（ｃ）参照）に対応した状態で、ビス取付孔２３ｂによって下ケース部１１の端部６側に位置する後面部６ｂにビス止めされている。
【００２５】
一方、第２鍵盤ケース２の下ケース部１４における分割された端部７には、図１０（ａ）〜図１０（ｄ）に示すように、第３、第４補強部材２４、２５が設けられている。第３補強部材２４は、図１０（ａ）および図１０（ｂ）に示すように、第１補強部材２０と同様、金属板を長手方向に沿ってＬ字形状に折り曲げたものであり、図１０（ａ）に示すように、下ケース部１４の端部７における内縁部に第２鍵盤部５と対応した状態でビス止めされている。
【００２６】
この第３補強部材２４の手前側端部には、図１０（ｂ）および図１０（ｃ）に示すように、カバー部材８を取り付けるためのカバー取付補強部２６が折り曲げられている。このカバー取付補強部２６は、第１鍵盤ケース１のカバー取付補強部２０と同様、その所定個所に軸取付孔２６ａとビス取付孔２６ｂとが設けられ、下ケース部１４の端部７側に位置する前面部７ａ（図１の手前側面）の内面に対面し、軸取付孔２６ａが下ケース部１４の端部７側に位置する前面部７ａに設けられた軸貫通孔１４ａ（図５（ｂ）参照）に対応した状態で、ビス取付孔２６ｂによって下ケース部１４の端部７側に位置する前面部７ａにビス止めされている。
【００２７】
また、この第３補強部材２４の後端部（図１０（ａ）では上辺側の端部）には、図１０（ａ）および図１０（ｂ）に示すように、ヒンジ部３を補強するための第２ヒンジ補強板２７がビス止めされている。この第２ヒンジ補強板２７は、図１０（ｃ）に示すように、下ケース部１４の端部７における内縁部にヒンジ部３と対応して起立した状態で配置され、その上部にヒンジ部３の端部ヒンジカバー部３ｂに対応する手前側のヒンジ補強部１６が設けられている。
【００２８】
また、第２鍵盤ケース２の第４補強部材２５は、第２補強部材２１と同様、帯状の金属板からなり、図１０（ｄ）に示すように、下ケース部１４と上部ケース部１３との両方の後面（図１の背面）に配置された状態で、下ケース部１４の後面に取り付けられている。この第４補強部材２５における下ケース部１４の端部７側に位置する部分には、ヒンジ部３の端部ヒンジカバー部３ｂで覆われるヒンジ補強部２８と、カバー部材８を取り付けるためのカバー取付補強部２９とが設けられている。
【００２９】
この場合、ヒンジ補強部２８には、ヒンジ部３の中間ヒンジカバー３ａで覆われるヒンジ補強筒１５内に挿入するヒンジ軸１７が設けられている。また、カバー取付補強部２９は、図１０（ｄ）に示すように、その所定個所に軸取付孔２９ａとビス取付孔２９ｂとが設けられ、下ケース部１４の端部７側に位置する後面部７ｂの内面に対面し、軸取付孔２９ａが下ケース部１４の端部７側に位置する後面部７ｂに設けられた軸貫通孔１４ａ（図５（ｃ）参照）に対応した状態で、ビス取付孔２９ｂによって下ケース部１４の端部７側に位置する後面部７ｂにビス止めされている。
【００３０】
これにより、第１鍵盤ケース１は、その右端部６側が開放されていても、第１、第２補強部材１８、１９によって開放された端部６が補強されている。第２鍵盤ケース２は、その左端部７側が開放されていても、第３、第４補強部材２４、２５によって開放された端部７が補強されている。また、この第１、第２鍵盤ケース１、２を回動可能に連結するヒンジ部３は、中間ヒンジカバー部３ａで覆われたヒンジ補強筒１５と、端部ヒンジカバー部３ｂで覆われたヒンジ補強部１６、２８とによって補強されていると共に、第１補強部材１８に取り付けられた第１ヒンジ補強板２１と、第３補強部材２４に取り付けられた第２ヒンジ補強板２７と、第４補強部材２５のヒンジ補強部２８に設けられたヒンジ軸１７とによって強固に補強されている。
【００３１】
一方、第１、第２鍵盤ケース１、２の分割された端部６、７の各対向面を覆うためのカバー部材８は、図７に示すように、帯板状のカバー部３０と、このカバー部３０の両端にそれぞれ設けられた一対の連結片３１とを備えている。この場合、カバー部３０は、図４に示すように、その長さが第１、第２鍵盤ケース１、２の前後方向（図４では上下方向）の長さとほぼ同じ長さに形成されている。
【００３２】
また、このカバー部３０は、図１８および図１９に示すように、その幅が第１、第２鍵盤ケース１、２の両方の厚みとほぼ同じ長さに形成され、第１、第２鍵盤ケース１、２が重なり合った状態のときに、第１、第２鍵盤ケース１、２の分割された端部６、７の各対向面に対応して覆うように構成されている。さらに、このカバー部３０は、その厚みが第１、第２鍵盤ケース１、２の下面に設けられたゴム足９の厚みよりも少し薄く形成され、図２に示すように、第１、第２鍵盤ケース１、２を開いて卓上に配置したときに、卓上に接触しないように構成されている。
【００３３】
このカバー部３０の両端に設けられた一対の連結片３１のうち、一方の連結片３１は、図１〜図３に示すように、第１、第２鍵盤ケース１、２の分割された端部６、７側に位置する前面部６ａ、７ａ（図１では手前側面）に対応するように設けられており、他方の連結片３１は、第１、第２鍵盤ケース１、２の分割された端部６、７側に位置する後面部６ｂ、７ｂ（図１では背面）に対応するように設けられている。また、この一対の連結片３１における各一側部、つまり第１鍵盤ケース１の端部６側に位置する前後面部６ａ、６ｂに対応する個所には、図７に示すように、軸取付孔３２がそれぞれ貫通して設けられており、この一対の連結片３１の対向面には、ガイド溝３３がそれぞれ軸取付孔３２の近傍から反対側の端部つまり第２鍵盤ケース２の端部７側に向けて設けられている。
【００３４】
また、このカバー部材８は、連動機構３４によって第１、第２鍵盤ケース１、２の分割された端部６、７同士に跨って連結され、第１、第２鍵盤ケース１、２の回動動作に連動して、カバー部３０が第１、第２鍵盤ケース１、２の分割され端部６、７の各対向面を開閉可能に覆うように構成されている。すなわち、この連動機構３４は、図１３〜図１５に示すように、第１鍵盤ケース１の分割された端部６側の前後面部６ａ、６ｂとカバー部材８の一対の連結片３１とを回動可能に連結する一対の固定軸３５と、第２鍵盤ケース２の分割された端部７側の前後面部７ａ、７ｂにそれぞれ回動可能に取り付けられてカバー部材８の一対の連結片３１にそれぞれ設けられた各ガイド溝３３内を移動する一対の移動軸３６とを備えている。
【００３５】
一対の固定軸３５それぞれは、図１６（ａ）に示すように、内端部側（同図では上端部側）に係止溝３５ａが設けられ、外端部（同図では下端部）に抜け止め用の頭部３５ｂが設けられ、第１鍵盤ケース１の端部６側の前後面部６ａ、６ｂにそれぞれ設けられた各軸貫通孔１１ａおよび第１、第２補強部材１８、１９のカバー取付補強部２０、２３の各軸取付孔２０ａ、２３ａと、カバー部材８の一対の連結片３１にそれぞれ設けられた各軸取付孔３２とに挿入されて回動可能に取り付けられるように構成されている。
【００３６】
すなわち、この一対の固定軸３５のうち、第１鍵盤ケース１の前面側（図１の手前側）に位置する固定軸３５は、図１３および図１４に示すように、カバー部材８の手前側に位置する連結片３１に設けられた軸取付孔３２に内端部側が外部側から内部側に向けて挿入され、この挿入された内端部が第１鍵盤ケース１の端部６側に位置する前面部６ａに設けられた軸貫通孔１１ａを通り、第１補強部材１８のカバー取付補強部２０の軸取付孔２０ａに挿入され、この挿入された内端部がカバー取付補強部２０から内側に突出し、この突出した内端部が取付金具３７によって外部に抜けないように取り付けられている。
【００３７】
また、第１鍵盤ケース１の後面側（図１の背面側）に位置する固定軸３５は、図１３および図１４に示すように、カバー部材８の後部側に位置する連結片３１に設けられた軸取付孔３２に内端部側が外部側から内部側に向けて挿入され、この挿入された内端部側が第１鍵盤ケース１の端部６側に位置する後面部６ｂに設けられた軸貫通孔１１ａを通り、第２補強部材１９のカバー取付補強部２３の軸取付孔２３ａに挿入され、この挿入された内端部がカバー取付補強部２３から内側に突出し、この突出した内端部が取付金具３７によって外部に抜けないように取り付けられている。
【００３８】
この場合、取付金具３７は、図１４（ａ）および図１４（ｂ）に示すように、金属板をＬ字状に折り曲げ、この折り曲げられた立上り部にＵ字形状の溝部３７ａが設けられ、このＵ字形状の溝部３７ａに固定軸３５の係止溝３５ａが係合することにより、固定軸３５が外部に抜け出さないように構成されている。また、一対の連結片３１の各軸取付孔３２内には、図１７（ａ）に示す筒状の第１補強ブッシュ３８がそれぞれ嵌め込まれており、また第１鍵盤ケース１の端部６に位置する前後面に設けられた各軸貫通孔１１ａには、図１７（ｂ）に示す筒状の第２補強ブッシュ３９がそれぞれ嵌め込まれている。
【００３９】
これにより、一対の固定軸３５は、図１３および図１４に示すように、その各内端部側が第１鍵盤ケース１における端部６側に位置する前後面部６ａ、６ｂに設けられた各軸貫通孔１１ａと第１、第２補強部材１８、１９のカバー取付補強部２０、２３の各軸取付孔２０ａ、２３ａとに回動可能に取り付けられ、各外端部側がカバー部材８における一対の連結片３１の各軸取付孔３２に回動可能に取り付けられることにより、図２０〜図２４に示すように、カバー部材８の一対の連結片３１を第１鍵盤ケース１の端部６側に位置する前後面部６ａ、６ｂに対して回動可能に連結している。
【００４０】
一方、一対の移動軸３６それぞれは、図１６（ｂ）に示すように、内端部側（同図では上端部側）に係止溝３６ａが設けられ、外端部（同図では下端部）に摺動頭部３６ｂが設けられた構成になっている。すなわち、一対の移動軸３６のうち、第２鍵盤ケース２の前面側に位置する移動軸３６は、図１３および図１５に示すように、摺動頭部３６ｂがカバー部材８の手前側の連結片３１に設けられたガイド溝３３内に移動可能に挿入され、内端部が第２鍵盤ケース２の端部７側に位置する前面部７ａに設けられた軸貫通孔１４ａを通り、第３補強部材２４のカバー取付補強部２６の軸取付孔２６ａに挿入され、この挿入された内端部がカバー取付補強部２６から内側に突出し、この突出した内端部が、固定軸３５の場合と同様、取付金具３７によって外部に抜けないように取り付けられている。
【００４１】
また、第２鍵盤ケース２の後面側（図１の背面側）に位置する移動軸３６は、図１３および図１５に示すように、摺動頭部３６ｂがカバー部材８の後部側の連結片３１に設けられたガイド溝３３内に移動可能に挿入され、内端部側が第２鍵盤ケース２における端部７側に位置する後面部７ｂに設けられた軸貫通孔１４ａを通り、第４補強部材２５のカバー取付補強部２９の軸取付孔２９ａに挿入され、この挿入された内端部がカバー取付補強部２９から内側に突出し、この突出した内端部が、固定軸３５の場合と同様、取付金具３７によって外部に抜けないように取り付けられている。この場合にも、第２鍵盤ケース２の端部７側に位置する前後面部７ａ、７ｂに設けられた各軸貫通孔１４ａには、図１７（ｂ）に示した筒状の第２補強ブッシュ３９がそれぞれ嵌め込まれている。
【００４２】
これにより、一対の移動軸３６は、一対の固定軸３５によって一対の連結片３１が第１鍵盤ケース１の端部６側に位置する前後面部６ａ、６ｂに回動可能に取り付けられた状態で、一対の移動軸３６の各摺動頭部３６ｂがカバー部材８の一対の連結片３１にそれぞれ設けられた各ガイド溝３３内に移動可能に挿入され、一対の固定軸３５を中心にカバー部材８の一対の連結片３１が第１鍵盤ケース１に対して回動するときに、その回動動作に伴って各摺動頭部３６ｂがカバー部材８の一対の連結片３１の各ガイド溝３３内を移動することにより、一対の固定軸３５を中心にカバー部材８のカバー部３０を回転移動させるように構成されている。
【００４３】
次に、第１、第２鍵盤ケース１、２の折り畳み動作について説明する。
まず、第１、第２鍵盤ケース１、２がヒンジ部３を中心に回動して１８０度に開いたときには、図１および図２に示すように、第１、第２鍵盤ケース１、２の分割された端部６、７同士の各対向面が互いに対面して突き当たり、第１、第２鍵盤ケース１、２に設けられた第１、第２鍵盤部４、５の各鍵４ａ、５ａが全て同じ間隔で第１、第２鍵盤ケース１、２に沿って連続して配列される。
【００４４】
このときには、図１〜図４に示すように、カバー部材８のカバー部３０が第１、第２鍵盤ケース１、２の分割された端部６、７側に位置する下ケース１１、１４の各下面に跨って配置されると共に、カバー部材８の一対の連結片３１が第１、第２鍵盤ケース１、２の分割された端部６、７側に位置する下ケース１１、１４の各前後面部６ａ、６ｂ、７ａ、７ｂに跨って配置される。この状態では、図２０に示すように、連動機構３４の一対の固定軸３５と一対の移動軸３６とが互いに接近した状態になっている。
【００４５】
この状態で、図６および図２１に示すように、ヒンジ部３を中心に第１、第２鍵盤ケース１、２を回動させて少し閉じると、第１、第２鍵盤ケース１、２の端部６、７同士がヒンジ部３を中心に少し回動して開く。このときには、図２１に示すように、連動機構３４の移動軸３６が、第２鍵盤ケース２の端部７と共にカバー部材８の連結片３１のガイド溝３３内を移動しながら、固定軸３５から斜め上方に向けて移動する。これにより、カバー部材８の一対の連結片３１が連動機構３４の一対の固定軸３５を中心に反時計回りに回動すると共に、カバー部材８のカバー部３０が一対の固定軸３５を中心に回転移動する。
【００４６】
この状態で、図２２および図２３に示すように、ヒンジ部３を中心に第１、第２鍵盤ケース１、２を更に閉じる方向に回動させると、第１、第２鍵盤ケース１、２の分割された端部６、７同士がヒンジ部３を中心に更に回動して開く。このときにも、図２２および図２３に示すように、連動機構３４の移動軸３６が、第２鍵盤ケース２の端部７と共にカバー部材８の連結片３１のガイド溝３３内を移動しながら、固定軸３５から斜め上方に向けて更に移動する。これにより、カバー部材８の一対の連結片３１が連動機構３４の一対の固定軸３５を中心に反時計回りに更に回動すると共に、カバー部材８のカバー部３０が一対の固定軸３５を中心に更に回転移動し、図２２および図２３に示すように、カバー部３０が第１、第２鍵盤ケース１、２の分割された端部６、７の各対向面に次第に接近する。
【００４７】
この後、図２４に示すように、ヒンジ部３を中心に更に第１、第２鍵盤ケース１、２が回動して互いに重なると、図１９に示すように、第１、第２鍵盤部４、５が互いに対面して上下に重なると共に、第１、第２鍵盤ケース１、２の分割された端部６、７同士がヒンジ部３を中心に１８０度に回動して開く。このときにも、図２４に示すように、連動機構３４の移動軸３６が、第２鍵盤ケース２の端部７と共にカバー部材８の連結片３１のガイド溝３３内を移動しながら、固定軸３５から上方に向けて最も移動する。
【００４８】
これにより、カバー部材８の一対の連結片３１が一対の固定軸３５を中心に反時計回りに９０度回動してほぼ垂直に起立すると共に、カバー部材８のカバー部３０も一対の固定軸３５を中心に更に回転移動してほぼ垂直に起立し、図１９および図２４に示すように、カバー部３０が第１、第２鍵盤ケース１、２の分割された各端部６、７の各対向面に対面して、各端部６、７の各対向面を覆って塞ぐ。
【００４９】
このように、この鍵盤装置によれば、ヒンジ部３を中心に第１、第２鍵盤ケース１、２を回動させて１８０度に開くと、図１に示すように、第１、第２鍵盤ケース１、２にそれぞれ設けられた第１、第２鍵盤部４、５の全ての鍵４ａ、５ａが第１、第２鍵盤ケース１、２に亘って等間隔で連続して配列されるので、通常の鍵盤装置と同じ鍵操作をして演奏することができる。また、ヒンジ部３を中心に第１、第２鍵盤ケース１、２を回動させて閉じると、図１９に示すように、第１、第２鍵盤ケース１、２が互いに重なると共に、第１、第２鍵盤部４、５も互いに対面して重なるので、コンパクトに持ち運ぶことができる。
【００５０】
このときには、第１、第２鍵盤ケース１、２の分割された端部６、７同士に跨ってカバー部材８が連結されているので、ヒンジ部３を中心に第１、第２鍵盤ケース１、２が回動して互いに重なるときに、第１、第２鍵盤ケース１、２の分割された端部６、７同士の各対向面をカバー部材８によって覆って塞ぐことができる。このため、カバー部材８によって第１、第２鍵盤ケース１、２の分割された各端部６、７から第１、第２鍵盤ケース１、２の内部が見えないように隠すことができると共に、第１、第２鍵盤ケース１、２の分割された各端部６、７からごみなどの異物が第１、第２鍵盤ケース１、２内に侵入するのを確実に防ぐことができる。
【００５１】
この場合、第１、第２鍵盤ケース１、２がヒンジ部３を中心に回動するときに、その回動動作に応じて連動機構３４がカバー部材８を連動させるので、ヒンジ部３を中心に第１、第２鍵盤ケース１、２が回動して互いに重なるときに、連動機構３４が第１、第２鍵盤ケース１、２の回動動作に応じて、カバー部材８のカバー部３０を第１、第２鍵盤ケース１、２における端部６、７同士の各対向面に対面させる方向に向けて移動させることができ、これにより第１、第２鍵盤ケース１、２における端部６、７同士の各対向面をカバー部材８のカバー部３０で自動的に覆うことができる。
【００５２】
また、第１、第２鍵盤ケース１、２がヒンジ部３を中心に回動して開くときに、連動機構３４が第１、第２鍵盤ケース１、２の回動動作に応じて、カバー部材８のカバー部３０を第１、第２鍵盤ケース１、２における端部６、７同士の各対向面から離れる方向に移動させることができ、これにより第１、第２鍵盤ケース１、２における端部６、７同士の各対向面からカバー部材８のカバー部３０を自動的に離脱させることができる。このため、第１、第２鍵盤ケース１、２を１８０度に開いたときに、カバー部材８が邪魔にならず、第１、第２鍵盤部４、５の全ての鍵４ａ、５ａを第１、第２鍵盤ケース１、２に亘って等間隔に連続して配列させることができる。これにより、使い勝手の良いものを提供することができる。
【００５３】
また、この鍵盤装置では、カバー部材８が、第１、第２鍵盤ケース１、２の分割された端部６、７同士の各対向面に対応するカバー部３０と、このカバー部３０の前後部に設けられて第１、第２鍵盤ケース１、２の分割された端部６、７同士に跨って連結される連結片３１とからなり、連動機構３４が、第１鍵盤ケース１の端部６側とカバー部材８の連結片３１とを回動可能に連結する固定軸３５と、第２鍵盤ケース２の端部７側に回動可能に取り付けられてカバー部材８の連結片３１に設けられたガイド溝３３内を移動する移動軸３６とを備えているので、カバー部材８を第１、第２鍵盤ケース１、２の開閉動作に応じて連動させることができると共に、第１、第２鍵盤ケース１、２の開閉動作およびそのときのカバー部材８の連動動作を安定させることができる。
【００５４】
すなわち、第１鍵盤ケース１の端部６側とカバー部材８の連結片３１とが固定軸３５によって回動可能に連結され、第２鍵盤ケース２の端部７側に回動可能に取り付けられた移動軸３６がカバー部材８の連結片３１に設けられたガイド溝３３内を移動する構成であるから、第１、第２鍵盤ケース１、２がヒンジ部３を中心に回動するときに、カバー部材８の連結片３１が第１鍵盤ケース１の端部６側に取り付けられた固定軸３５を中心に回動すると共に、第２鍵盤ケース２の端部７側に回動可能に取り付けられた移動軸３６がカバー部材８の連結片３１に設けられたガイド溝３３内を移動するので、第１、第２鍵盤ケース１、２の開閉動作に応じてカバー部材８の一対の連結片３１を確実に且つ円滑に連動させることができ、これにより第１、第２鍵盤ケース１、２の開閉動作およびそのときのカバー部材８の連動動作を安定させることができる。
【００５５】
この場合、特にヒンジ部３が第１、第２鍵盤ケース１、２の分割された端部６、７同士の上面に設けられ、カバー部材８はカバー部３０の前後部にそれぞれ連結片３１を設けた構成で、連動機構３４が第１、第２鍵盤ケース１、２の分割された端部６、７側の前後面部６ａ、６ｂ、７ａ、７ｂにそれぞれ設けられているので、第１、第２鍵盤ケース１、２の各端部６、７同士において、第１、第２鍵盤部４、５と対応する手前側部分にはヒンジ部３が設けられておらず、後部側部分のみにヒンジ部３が設けられている。
【００５６】
このため、ヒンジ部３を中心に第１、第２鍵盤ケース１、２が回動するときに、第１、第２鍵盤ケース１、２の各端部６、７における手前側部分が不安定な動作になりやすいが、第１、第２鍵盤ケース１、２の端部６、７側に位置する前後面部６ａ、６ｂ、７ａ、７ｂに設けられた連動機構３４によって、第１、第２鍵盤ケース１、２の開閉動作時における第１、第２鍵盤ケース１、２の分割された端部６、７同士の手前側部分の回動動作を安定させることができる。
【００５７】
更に、この鍵盤装置では、第１、第２鍵盤ケース１、２の分割された端部６、７における各内縁部にそれぞれ第１〜第４補強部材１８、１９、２４、２５が設けられているので、第１、第２鍵盤ケース１、２の分割された端部６、７同士が開放され、第１、第２鍵盤ケース１、２の各端部６、７の強度が低下していても、第１〜第４補強部材１８、１９、２４、２５によって十分な強度を確保することができる。
【００５８】
この場合、第１〜第４補強部材１８、１９、２４、２５は、第１、第２鍵盤ケース１、２の分割された端部６、７における各内縁部にそれぞれ設けられているので、第１、第２鍵盤ケース１、２に設けられた第１、第２鍵盤部４、５の各鍵４ａ、５ａのうち、端部に位置する鍵４ａ、５ａが第１、第２鍵盤ケース１、２の開放された端部６、７の各対向面に位置していても、第１〜第４補強部材１８、１９、２４、２５がその鍵４ａ、５ａの邪魔にならずに、第１、第２鍵盤ケース１、２の開放された各端部６、７を確実に且つ強固に補強することができる。
【００５９】
また、第１、第２鍵盤ケース１、２を回動可能に連結するヒンジ部３は、中間ヒンジカバー部３ａで覆われたヒンジ補強筒１５と、端部ヒンジカバー部３ｂで覆われたヒンジ補強部１６、２８とによって補強されていると共に、第１補強部材１８に取り付けられた第１ヒンジ補強板２１と、第３補強部材２４に取り付けられた第２ヒンジ補強板２７と、第４補強部材２５のヒンジ補強部２８に設けられたヒンジ軸１７とによって強固に補強されているので、ヒンジ部３の強度を十分に確保することができ、これによっても第１、第２鍵盤ケース１、２の回動動作を安定させることができる。
【００６０】
更に、第１〜第４補強部材１８、１９、２４、２５には、それぞれカバー取付補強部２０、２３、２６、２９が設けられ、これら各カバー取付補強部２０、２３、２６、２９にそれぞれ軸取付孔２０ａ、２３ａ、２６ａ、２９ａが第１、第２鍵盤ケース１、２の各端部６、７側に位置する前後面部６ａ、６ｂ、７ａ、７ｂに設けられた各軸貫通孔１１ａ、１４ａに対応して設けられているので、連動機構３４の一対の固定軸３５および一対の移動軸３６を第１、第２鍵盤ケース１、２に対して確実に且つ強固に取り付けることができ、これによっても第１、第２鍵盤ケース１、２の回動動作を安定させることができる。
【００６１】
（実施形態２）
次に、図２５〜図４５を参照して、この発明を適用した鍵盤装置の実施形態２について説明する。なお、図１〜図２４に示された実施形態１と同一部分には同一符号を付して説明する。
この鍵盤装置は、カバー部材４０と連動機構４１とが実施形態１と異なる構成であり、これ以外は実施形態１とほぼ同じ構成なっている。
【００６２】
すなわち、このカバー部材４０は、図２５〜図３１に示すように、帯板状のカバー部４２と、このカバー部４２の両端にそれぞれ設けられた一対の連結片４３とを備え、実施形態１と同様、第１、第２鍵盤ケース１、２が連続する状態に展開して開いたときに、連動機構４１によって第１、第２鍵盤ケース１、２の分割された端部６、７同士に跨って連結され、また図２８および図２９に示すように、第１、第２鍵盤ケース１、２が回動して互いに重なり合うときに、第１、第２鍵盤ケース１、２の回動動作に連動して、カバー部４２が第１、第２鍵盤ケース１、２の分割され端部６、７の各対向面を覆って塞ぐように構成されている。
【００６３】
この場合、カバー部４２は、実施形態１と同様、その長さが第１、第２鍵盤ケース１、２の前後方向（図２７では上下方向）の長さとほぼ同じ長さに形成されている。また、このカバー部４２は、図２５〜図２９に示すように、その幅が第１、第２鍵盤ケース１、２の両方の厚みとほぼ同じ長さに形成され、第１、第２鍵盤ケース１、２が重なり合った状態のときに、第１、第２鍵盤ケース１、２の分割された端部６、７の各対向面に対応して覆うように構成されている。さらに、このカバー部４２は、実施形態１と同様、その厚みが第１、第２鍵盤ケース１、２の下面に設けられたゴム足９の厚みよりも少し薄く形成され、図２６に示したように、第１、第２鍵盤ケース１、２を開いて卓上に配置したときに、卓上に接触しないように構成されている。
【００６４】
このカバー部４２の両端に設けられた一対の連結片４３は、図３２（ａ）および図３２（ｂ）に示すように、カバー部４２の両端部にそれぞれ一体に設けられた一対の連結本体部４４と、この一対の連結本体部４４にそれぞれ着脱可能に取り付けられる一対の連結蓋部４５とを備えている。この場合、一対の連結本体部４４のうち、一方の連結本体部４４は、図２５および図２６に示すように、第１、第２鍵盤ケース１、２の分割された端部６、７側に位置する前面部６ａ、７ａ（図２５では手前側面）に対応するように設けられており、他方の連結本体部４４は、第１、第２鍵盤ケース１、２の分割された端部６、７側に位置する後面部６ｂ、７ｂ（図２５では背面）に対応するように設けられている。
【００６５】
この一対の連結本体部４４における各一側部、つまり第１鍵盤ケース１の端部６側に位置する前後面部６ａ、６ｂに対応する個所には、図３５（ａ）および図３５（ｂ）に示すように、軸取付孔３２がそれぞれ貫通して設けられている。また、この一対の連結本体部４４には、ガイド溝４６がそれぞれ軸取付孔３２の近傍から反対側の端部つまり第２鍵盤ケース２の端部７側に向けて設けられている。
【００６６】
さらに、この一対の連結本体部４４の各対向面におけるガイド溝４６の下側には、図３５（ｂ）に示すように、ラック４７がそれぞれガイド溝４６に沿って設けられている。この場合、ガイド溝４６の右端部、つまり軸取付孔３２と反対側に位置する端部には、後述するピニオンギア４８が挿入する大きさの大径孔４６ａが設けられている。また、一対の連結本体部４４の各対向面におけるガイド溝４６の周辺部分は、凹部状に形成されており、この凹部状に形成された部分の内側下部にラック４７が形成されている。
【００６７】
一方、連動機構４１は、図２８、図２９、および図３３に示すように、第１鍵盤ケース１の分割された端部６側の前後面部６ａ、６ｂとカバー部材４０の一対の連結本体部４４とを回動可能に連結する一対の固定軸３５と、第２鍵盤ケース２の分割された端部７側の前後面部７ａ、７ｂにそれぞれ回動可能に取り付けられて一対の連結本体部４４にそれぞれ設けられた各ガイド溝４６内を移動する一対の移動軸３６と、この一対の移動軸３６に取り付けられて一対の連結本体部４４の各対向面にそれぞれ設けられた各ラック４７に噛み合って転動する一対のピニオンギア４８とを備えている。
【００６８】
一対の固定軸３５それぞれは、図３３および図３８（ａ）に示すように、内端部側（図３８（ａ）では右端部側）に係止溝３５ａが設けられ、外端部側（図３８（ａ）では左端部側）に軸受けブッシュ４９が設けられ、内端部が第１鍵盤ケース１側に回転可能に取り付けられ、外端部が一対の連結本体部４４の各軸取付孔３２に回転可能に取り付けられるように構成されている。
【００６９】
すなわち、一対の固定軸３５は、図３３および図３８（ａ）に示すように、第１鍵盤ケース１の端部６側の前後面部６ａ、６ｂにそれぞれ設けられた各軸貫通孔１１ａおよび第１、第２補強部材１８、１９のカバー取付補強部２０、２３の各軸取付孔２０ａ、２３ａに挿入された状態で、外端部側がカバー部材４０の一対の連結本体部４４にそれぞれ設けられた各軸取付孔３２に軸受けブッシュ４９を介して挿入されることにより、一対の連結本体部４４と第１鍵盤ケース１とに回動可能に取り付けられるように構成されている。なお、一対の固定軸３５の各外端部は、図３８（ａ）に示すように、一対の連結本体部４４から外部側にそれぞれ突出している。
【００７０】
この場合、一対の固定軸３５のうち、第１鍵盤ケース１の前面側（図２５の手前側）に位置する固定軸３５は、図３３および図３８（ａ）に示すように、その内端部側（図３８（ａ）では右端部側）がカバー部材４０の手前側に位置する連結本体部４４に設けられた軸取付孔３２に外部側から内部側に向けて挿入され、この挿入された内端部が第１鍵盤ケース１の端部６側に位置する前面部６ａに設けられた軸貫通孔１１ａを通り、第１補強部材１８のカバー取付補強部２０の軸取付孔２０ａに挿入され、この挿入された内端部がカバー取付補強部２０から内側に突出し、この突出した内端部が図３８（ｂ）に示すようにカバー取付補強部２０に固定された取付金具３７に回転可能に取り付けられ、この取付金具３７によって外部に抜けないように構成されている。
【００７１】
また、第１鍵盤ケース１の後面側（図２５の背面側）に位置する固定軸３５も、図３３および図３８（ａ）に示すように、その内端部側がカバー部材４０の後部側に位置する連結本体部４４に設けられた軸取付孔３２に外部側から内部側に向けて挿入され、この挿入された内端部が第１鍵盤ケース１の端部６側に位置する後面部６ｂに設けられた軸貫通孔１１ａを通り、第２補強部材１９のカバー取付補強部２３の軸取付孔２３ａに挿入され、この挿入された内端部がカバー取付補強部２３から内側に突出し、この突出した内端部がカバー取付補強部２３に固定された取付金具３７に回転可能に取り付けられ、この取付金具３７によって外部に抜けないように構成されている。
【００７２】
この場合、取付金具３７は、実施形態１と同様、金属板をＬ字状に折り曲げ、この折り曲げられた立上り部に図３８（ｂ）に示すようにＵ字形状の溝部３７ａが設けられ、このＵ字形状の溝部３７ａに固定軸３５の係止溝３５ａが係合することにより、固定軸３５が外部に抜け出さないように構成されている。また、一対の連結本体部４４の各軸取付孔３２は、図３３および図３８（ａ）に示すように、固定軸３５に取り付けられた軸受けブッシュ４９が嵌合する大きさに形成されている。また、第１鍵盤ケース１の端部６に位置する前後面に設けられた各軸貫通孔１１ａには、実施形態１と同様、筒状の第２補強ブッシュ３９がそれぞれ嵌め込まれている。
【００７３】
これにより、一対の固定軸３５は、図３３および図３８（ａ）に示すように、その各内端部側が第１鍵盤ケース１における端部６側に位置する前後面部６ａ、６ｂに設けられた各軸貫通孔１１ａと第１、第２補強部材１８、１９のカバー取付補強部２０、２３の各軸取付孔２０ａ、２３ａとに挿入されて、各取付金具３７の溝部３７ａに回動可能に取り付けられ、また各外端部側が一対の連結本体部４４の各軸取付孔３２に軸受けブッシュ４９を介して回動可能に取り付けられることにより、一対の連結本体部４４を第１鍵盤ケース１の端部６側に位置する前後面部６ａ、６ｂに対して回動可能に連結するように構成されている。
【００７４】
一方、一対の移動軸３６それぞれは、図３３、図３４、および図３９（ａ）に示すように、内端部側（図３９（ａ）では右端部側）に係止溝３６ａが設けられ、外端部側（図３９（ａ）では左端部側）に図４０（ａ）および図４０（ｂ）に示すピニオンギア４８が設けられ、内端部が第２鍵盤ケース２側に回転可能に取り付けられ、外端部がカバー部材４０の一対の連結本体部４４に設けられたガイド溝４６内に移動可能に挿入されていると共に、ピニオンギア４８が一対の連結本体部４４に設けられたラック４７に噛み合って転動可能に取り付けられるように構成されている。
【００７５】
すなわち、一対の移動軸３６のうち、第２鍵盤ケース２の前面側に位置する移動軸３６は、図３９（ａ）に示すように、その内端部（同図では右端部）が第２鍵盤ケース２の端部７側に位置する前面部７ａに設けられた軸貫通孔１４ａを通り、第３補強部材２４のカバー取付補強部２６の軸取付孔２６ａに挿入され、この挿入された内端部がカバー取付補強部２６から更に内側に突出し、この突出した内端部が、固定軸３５の場合と同様、カバー取付補強部２６に固定された取付金具３７に回転可能に取り付けられ、この取付金具３７によって外部に抜けないように構成されている。また、この前面側の移動軸３６の外端部は、図３９（ａ）に示すように、連結本体部４４のガイド溝４６を通して連結本体部４４から外部側に突出している。
【００７６】
また、第２鍵盤ケース２の後面側（図２５の背面側）に位置する移動軸３６も、図３４および図３９（ａ）に示すように、その内端部側が第２鍵盤ケース２における端部７側に位置する後面部７ｂに設けられた軸貫通孔１４ａを通り、第４補強部材２５のカバー取付補強部２９の軸取付孔２９ａに挿入され、この挿入された内端部がカバー取付補強部２９から内側に突出し、この突出した内端部が、固定軸３５の場合と同様、カバー取付補強部２９に固定された取付金具３７に回転可能に取り付けられ、この取付金具３７によって外部に抜けないように構成されている。この場合にも、第２鍵盤ケース２の端部７側に位置する前後面部７ａ、７ｂに設けられた各軸貫通孔１４ａには、図３９（ａ）に示すように、筒状の第２補強ブッシュ３９がそれぞれ嵌め込まれている。
【００７７】
これにより、連動機構４１は、一対の固定軸３５によって一対の連結本体部４４が第１鍵盤ケース１の端部６側に位置する前後面部６ａ、６ｂに回動可能に取り付けられた状態で、一対の移動軸３６が一対の連結本体部４４の各ガイド溝４６に移動可能に挿入されると共に、一対の移動軸３６の各ピニオンギア４８が一対の連結本体部４４の各ラック４７に転動可能に噛み合い、この状態で一対の固定軸３５を中心に一対の連結本体部４４が第１鍵盤ケース１に対して回動するときに、その回動動作に伴って一対の移動軸３６が一対の連結本体部４４の各ガイド溝４６内を移動しながら、各ピニオンギア４８が一対の連結本体部４４の各ラック４７に噛み合って転動することにより、一対の固定軸３５を中心にカバー部材４０の一対の連結片４３を回動させると共に、カバー部４２を回転移動させるように構成されている。
【００７８】
ところで、一対の連結本体部４４に取り付けられる一対の連結蓋部４５は、図３２および図３７に示すように、連結本体部４４と同じ大きさの平板状に形成され、ビス５１によって連結本体部４４の外面に取り付けられて、固定軸３５および移動軸３６の各外端部を覆って軸取付孔３２およびガイド溝４６を塞ぐように構成されている。この場合、連結本体部４４に対面する連結蓋部４５の内面には、図３２（ａ）および図３２（ｂ）に示すように、凹部５２が設けられている。
【００７９】
この凹部５２内の上辺部には、連結本体部４４の外面に設けられたフック部５３が係脱可能に係合する係止部５４が設けられている。これにより、連結蓋部４５は、その係止部５４に連結本体部４４のフック部５３を係合させた状態で、ビス５１によって連結本体部４４の外面に取り付けられることにより、固定軸３５に取り付けられた軸受けブッシュ４９および移動軸３６に取り付けられたピニオンギア４８が外部に抜け出さないように固定軸３５および移動軸３６の各外端部（図３３では各下端部）を覆う構成になっている。
【００８０】
次に、この実施形態２の鍵盤装置の作用について説明する。
まず、図２５および図２６に示すように、第１、第２鍵盤ケース１、２がヒンジ部３を中心に回動して１８０度に開いたときには、図４１に示すように、第１、第２鍵盤ケース１、２の分割された端部６、７同士の各対向面が互いに対面して突き当たり、第１、第２鍵盤ケース１、２に設けられた第１、第２鍵盤部４、５の各鍵４ａ、５ａが全て同じ間隔で第１、第２鍵盤ケース１、２に沿って連続して配列される。
【００８１】
このときには、実施形態１と同様、カバー部材４０のカバー部４２が第１、第２鍵盤ケース１、２の分割された端部６、７側に位置する下ケース１１、１４の各下面に跨って配置されると共に、カバー部材４０の一対の連結片４３が第１、第２鍵盤ケース１、２の分割された端部６、７側に位置する下ケース１１、１４の各前後面部６ａ、６ｂ、７ａ、７ｂに跨って配置される。この状態では、図４１に示すように、連動機構３４の一対の固定軸３５と一対の移動軸３６とが互いに接近し、移動軸３６のピニオンギア４８が連結片４３のラック４７の左端部に位置した状態になっている。
【００８２】
この状態で、ヒンジ部３を中心に第１、第２鍵盤ケース１、２を閉じる方向にほぼ４５度回動させると、図４２に示すように、第１、第２鍵盤ケース１、２の端部６、７同士がヒンジ部３を中心にほぼ４５度回動して開く。このときには、連動機構４１の移動軸３６が、第２鍵盤ケース２の端部７と共にカバー部材４０の連結片４３におけるガイド溝４６内を移動しながら、固定軸３５から斜め上方に向けて移動すると共に、移動軸３６のピニオンギア４８が連結片４３のラック４７に噛み合ってその右側（つまり固定軸３５から離れる方向）に向けて転動する。これにより、カバー部材４０の一対の連結片４３が連動機構４１の一対の固定軸３５を中心に反時計回りに回動して少し傾斜すると共に、カバー部材４０のカバー部４２が一対の固定軸３５を中心に回転移動する。
【００８３】
この状態で、ヒンジ部３を中心に第１、第２鍵盤ケース１、２を更に閉じる方向に回動させると、図４３および図４４に示すように、第１、第２鍵盤ケース１、２の分割された端部６、７同士がヒンジ部３を中心に更に回動して９０°以上に開く。このときにも、連動機構４１の移動軸３６が、第２鍵盤ケース２の端部７と共にカバー部材４０の連結片４３におけるガイド溝４６内を移動しながら、固定軸３５から斜め上方に向けて更に移動すると共に、移動軸３６のピニオンギア４８が連結片４３のラック４７に噛み合って固定軸３５から離れる斜め上方に向けて転動する。
【００８４】
このときには、図４３および図４４に示すように、カバー部材４０の一対の連結片４３が連動機構４１の一対の固定軸３５を中心に反時計回りに更に回動して４５度以上に傾斜すると共に、カバー部材４０のカバー部４２が一対の固定軸３５を中心に更に回転移動して４５度以上に傾斜する。これにより、図４３および図４４に示すように、カバー部４０が第１、第２鍵盤ケース１、２の分割された端部６、７の各対向面に次第に接近する。
【００８５】
この後、ヒンジ部３を中心に更に第１、第２鍵盤ケース１、２が回動して互いに重なると、図４５に示すように、第１、第２鍵盤部４、５が互いに対面して上下に重なると共に、第１、第２鍵盤ケース１、２の分割された端部６、７同士がヒンジ部３を中心に１８０度に回動して開く。このときにも、図４５に示すように、連動機構４１の移動軸３６が、第２鍵盤ケース２の端部７と共にカバー部材４０の連結片４３におけるガイド溝４６内を移動しながら、固定軸３５から上方に向けて最も移動すると共に、移動軸３６のピニオンギア４８が連結片４３のラック４７に噛み合ってその上方（つまり固定軸３５から離れる方向）に向けて転動して固定軸３５の上方に移動する。
【００８６】
このときには、カバー部材４０の一対の連結片４３が、図４５に示すように、一対の固定軸３５を中心に反時計回りに９０度回動してほぼ垂直に起立すると共に、カバー部材４０のカバー部４２も一対の固定軸３５を中心に更に回転移動してほぼ垂直に起立する。これにより、図２８および図４５に示すように、カバー部４２が第１、第２鍵盤ケース１、２の分割された各端部６、７の各対向面に対面して密接し、各端部６、７の各対向面を覆って塞ぐ。
【００８７】
このように、この鍵盤装置においても、実施形態１と同様、ヒンジ部３を中心に第１、第２鍵盤ケース１、２を回動させて１８０度に開くと、第１、第２鍵盤ケース１、２にそれぞれ設けられた第１、第２鍵盤部４、５の全ての鍵４ａ、５ａが第１、第２鍵盤ケース１、２に亘って等間隔で連続して配列されるので、通常の鍵盤装置と同じ鍵操作をして演奏することができる。また、ヒンジ部３を中心に第１、第２鍵盤ケース１、２を回動させて閉じると、図２８および図２９に示すように、第１、第２鍵盤ケース１、２が互いに重なると共に、第１、第２鍵盤部４、５も互いに対面して重なるので、コンパクトに持ち運ぶことができる。
【００８８】
このときには、第１、第２鍵盤ケース１、２の分割された端部６、７同士に跨ってカバー部材４０が連結されているので、ヒンジ部３を中心に第１、第２鍵盤ケース１、２が回動して互いに重なるときに、図４３〜図４５に示すように、第１、第２鍵盤ケース１、２の分割された端部６、７同士の各対向面をカバー部材４０によって覆って塞ぐことができる。このため、カバー部材４０によって第１、第２鍵盤ケース１、２の分割された各端部６、７から第１、第２鍵盤ケース１、２の内部が見えないように隠すことができると共に、第１、第２鍵盤ケース１、２の分割された各端部６、７からごみなどの異物が第１、第２鍵盤ケース１、２内に侵入するのを確実に防ぐことができる。
【００８９】
この場合、第１、第２鍵盤ケース１、２がヒンジ部３を中心に回動するときに、その回動動作に応じて連動機構４１がカバー部材４０を連動させるので、ヒンジ部３を中心に第１、第２鍵盤ケース１、２が回動して互いに重なるときに、連動機構４１が第１、第２鍵盤ケース１、２の回動動作に応じて、カバー部材４０のカバー部４２を第１、第２鍵盤ケース１、２における端部６、７同士の各対向面に対面させる方向に向けて移動させることができ、これにより第１、第２鍵盤ケース１、２における端部６、７同士の各対向面をカバー部材４０のカバー部４２で自動的に覆うことができる。
【００９０】
また、第１、第２鍵盤ケース１、２がヒンジ部３を中心に回動して開くときに、連動機構４１が第１、第２鍵盤ケース１、２の回動動作に応じて、カバー部材４０のカバー部４２を第１、第２鍵盤ケース１、２における端部６、７同士の各対向面から離れる方向に移動させることができ、これにより第１、第２鍵盤ケース１、２における端部６、７同士の各対向面からカバー部材４０のカバー部４２を自動的に離脱させることができる。このため、第１、第２鍵盤ケース１、２を１８０度に開いたときに、カバー部材４０が邪魔にならず、第１、第２鍵盤部４、５の全ての鍵４ａ、５ａを第１、第２鍵盤ケース１、２に亘って等間隔に連続して配列させることができる。これにより、使い勝手の良いものを提供することができる。
【００９１】
また、この鍵盤装置では、カバー部材４０が、第１、第２鍵盤ケース１、２の分割された端部６、７同士の各対向面に対応するカバー部４２と、このカバー部４２の前後部に設けられて第１、第２鍵盤ケース１、２の分割された端部６、７同士に跨って連結される連結片４３とからなり、連動機構４１が、第１鍵盤ケース１の端部６側とカバー部材４０の連結片４３とを回動可能に連結する固定軸３５と、第２鍵盤ケース２の端部７側に回動可能に取り付けられて連結片４３に設けられたガイド溝４６内を移動する移動軸３６と、この移動軸３６に設けられたピニオンギア４８と、ガイド溝４６に沿って連結片４３に設けられてピニオンギア４８が噛み合いながら転動するラック４７とを備えているので、カバー部材４０を第１、第２鍵盤ケース１、２の開閉動作に応じて連動させることができると共に、第１、第２鍵盤ケース１、２の開閉動作およびそのときのカバー部材４０の連動動作を安定させることができる。
【００９２】
すなわち、第１鍵盤ケース１の端部６側とカバー部材４０の連結片４３とが固定軸３５によって回動可能に連結され、第２鍵盤ケース２の端部７側に回動可能に取り付けられた移動軸３６が連結片４３のガイド溝４６内を移動すると共に、移動軸３６のピニオンギア４８が連結片４３のラック４７に噛み合って転動する構成であるから、カバー部材４０の連結片４３が第１鍵盤ケース１の端部６側に取り付けられた固定軸３５を中心に回動するときに、第２鍵盤ケース２の端部７側に取り付けられた移動軸３６が連結片４３のガイド溝４６内を移動しながら、ピニオンギア４８が連結片４３のラック４７に噛み合って転動する。このため、移動軸３６の移動時に移動軸３６が滑りによる動作ズレを生じることがなく、第１、第２鍵盤ケース１、２の開閉動作に応じてカバー部材４０の連結片４３を確実に且つ円滑に連動させることができる。これにより、第１、第２鍵盤ケース１、２の開閉動作およびそのときのカバー部材４０の連動動作を、より一層、安定させることができる。
【００９３】
この場合、カバー部材４０の連結片４３は、カバー部４２の端部に一体に形成された連結本体部４４と、この連結本体部４４に着脱可能に取り付けられた連結蓋部４５とを備え、連結本体部４４に、固定軸３５が挿入する軸取付孔３７と、移動軸３６が移動可能に挿入するガイド溝４６と、移動軸のピニオンギア４８が噛み合って転動するラック４７とが設けられ、連結蓋部４５が固定軸３５と移動軸３６との各外端部を覆って軸取付孔３７とガイド溝４６とを塞ぐ構成であるから、連結本体部４４を薄く形成することができると共に、連結本体部４４を薄く形成しても、連結本体部４４の強度を確保することができ、これにより連結片４３に固定軸３５、移動軸３６、ラック４７、およびピニオンギア４８をコンパクトに集約することができる。
【００９４】
また、このカバー部材４０の連結片４３は、連結蓋部４５を連結本体部４４から取り外すことにより、固定軸３５、移動軸３６、ピニオンギア４８を連結本体部４４を通して連結本体部４４と第１、第２鍵盤ケース１、２とに容易に組み付けることができる。また、連結蓋部４５を連結本体部４４に取り付けると、連結蓋部４５で固定軸３５と移動軸３６との各外端部を覆うので、固定軸３５に取り付けられた軸受けブッシュ４９および移動軸３６に取り付けられたピニオンギア４８が外部に抜け出して外れるのを防ぐことができると共に、連結蓋部４５によって軸取付孔３７とガイド溝４６とを塞ぐことができるので、外観的にもデザイン的に好ましいものを得ることができる。
【００９５】
なお、上記実施形態２では、カバー部材４０の一対の連結片４３にそれぞれラック４７を設け、且つ第２鍵盤ケース２の分割された端部７の前後面に設けられた一対の移動軸３６にそれぞれピニオンギア４８を設けた場合について述べたが、これに限らず、少なくとも第２鍵盤ケース２の分割された端部７の前面に設けられた移動軸３６のみにピニオンギア４８を設け、これに対応する連結片４３のみにラック４７を設けた構成でも良い。
【００９６】
また、上記実施形態１、２では、第１、第２鍵盤ケース１、２の分割された端部６、７における各内縁部にそれぞれ第１〜第４補強部材１８、１９、２４、２５を設けて第１、第２鍵盤ケース１、２の各端部６、７を補強した場合について述べたが、これに限らず、例えば第１、第２鍵盤ケース１、２の分割された端部６、７側における前面部６ａ、７ａに、補助補強部材を更に追加して設けても良い。この補助補強部材は、カバー部材８、４０の連結片３１、４３を跨いで設けられると共に、第１、第２鍵盤ケース１、２がヒンジ部３を中心に回動するときに、これに伴って折れ曲がり、且つ第１、第２鍵盤ケース１、２が１８０度に開いたときに、第１、第２鍵盤部４、５の鍵操作の邪魔にならないように、手前側にも折れ曲がるように構成されていることが望ましい。
【００９７】
さらに、上記実施形態１、２では、鍵の配列方向に対して２つの第１、第２鍵盤ケース１、２に分割した場合について述べたが、これに限らず、鍵の配列方向に対して３つ以上の鍵盤ケースに分割しても良い。この場合にも、３つ以上に分割された各端部同士にそれぞれカバー部材８、４０および連動機構３４、４１を設ければ良い。
【図面の簡単な説明】
【００９８】
【図１】この発明を適用した実施形態１の鍵盤装置を開いて使用する状態を示した平面図である。
【図２】図１の鍵盤装置の正面図である。
【図３】図１の鍵盤装置の背面図である。
【図４】図１の鍵盤装置の底面図である。
【図５】図１の鍵盤装置においてカバー部材を取り除いた状態を示し、（ａ）はその平面図、（ｂ）はその正面図、（ｃ）はその背面図である。
【図６】図１のＡ−Ａ矢視において第１、第２鍵盤ケースを閉じる方向に少し回動させた状態を示した断面図である。
【図７】図１のカバー部材を示した斜視図である。
【図８】図５の第１鍵盤ケースの下ケース部を示し、（ａ）はその平面図、（ｂ）はその右側面、（ｃ）はその正面図、（ｄ）はその背面図である。
【図９】図８の第１補強部材のカバー取付補強部を示し、（ａ）はその平面図、（ｂ）はその右側面、（ｃ）はその正面図である。
【図１０】図５の第２鍵盤ケースの下ケース部を示し、（ａ）はその平面図、（ｂ）はその左側面、（ｃ）はその正面図、（ｄ）はその背面図である。
【図１１】図１のＢ−Ｂ矢視におけるヒンジ部の拡大断面図である。
【図１２】図１のＣ−Ｃ矢視におけるヒンジ部の拡大断面図である。
【図１３】図２のＤ−Ｄ矢視における連動機構の拡大断面図である。
【図１４】図１３の固定軸の取付状態を示し、（ａ）は図１３のＥ−Ｅ矢視における拡大断面図、（ｂ）はそのＦ−Ｆ矢視における拡大断面図である。
【図１５】図１３の移動軸の取付状態を示し、（ａ）は図１３のＧ−Ｇ矢視における拡大断面図、（ｂ）はそのＨ−Ｈ矢視における拡大断面図である。
【図１６】図１３の固定軸と移動軸とを示し、（ａ）は固定軸を示した正面図、（ｂ）は移動軸を示した正面図である。
【図１７】図１３の第１、第２補強ブッシュを示し、（ａ）は第１補強ブッシュを示した正面図、（ｂ）は第２補強ブッシュを示した正面図である。
【図１８】図５（ｂ）の状態の鍵盤装置を折り畳んでカバー部材を取り付ける状態を示した正面図である。
【図１９】図１８の状態でカバー部材を取り付けた状態を示した正面図である。
【図２０】第１、第２鍵盤ケースが１８０度に開いたときの連動機構の動作状態を示した図である。
【図２１】第１、第２鍵盤ケースが少し閉じたときの連動機構の動作状態を示した図である。
【図２２】第１、第２鍵盤ケースが９０度閉じたときの連動機構の動作状態を示した図である。
【図２３】第１、第２鍵盤ケースが９０度以上に閉じたときの連動機構の動作状態を示した図である。
【図２４】第１、第２鍵盤ケースが互いに重なって閉じたときの連動機構の動作状態を示した図である。
【図２５】この発明を適用した実施形態２の鍵盤装置を開いて使用する状態を示した平面図である。
【図２６】図２５の鍵盤装置の正面図である。
【図２７】図２５の鍵盤装置の底面図である。
【図２８】図２６の鍵盤装置を折り畳んで重ね合わせた状態を示した拡大正面図である。
【図２９】図２８の状態でカバー部材を取り外した状態を示した拡大正面図である。
【図３０】図２５のカバー部材を一部破断して示した拡大平面図である。
【図３１】図３０のカバー部材の拡大側面図である。
【図３２】図３０のカバー部材における連結片の断面を示し、（ａ）は連結本体部に連結蓋部を取り付けた状態を示した断面図、（ｂ）は連結本体部に連結蓋部を取り付ける状態を示した断面図である。
【図３３】図２６のＩ−Ｉ矢視における要部の拡大断面図である。
【図３４】図３３のＪ−Ｊ矢視における拡大断面図である。
【図３５】図３０のカバー部材の連結本体部を示し、（ａ）はその拡大正面図、（ｂ）図３０のＫ−Ｋ矢視における拡大断面図である。
【図３６】図３５の連結本体部に固定軸、移動軸、ピニオンギアを取り付けた状態を示した拡大正面図である。
【図３７】図３０のカバー部材の連結蓋部を示し、（ａ）はその拡大正面図、（ｂ）はその内側から見た拡大裏面図である。
【図３８】図３３における固定軸付近を示し、（ａ）は図３３のＬ−Ｌ矢視において連結蓋部を取り外した状態の拡大断面図、（ｂ）はその固定軸を鍵盤ケースの内側から見た拡大側面図。
【図３９】図３４における移動軸付近を示し、（ａ）は連結蓋部を取り外した状態の拡大断面図、（ｂ）はその移動軸を鍵盤ケースの内側から見た拡大側面図。
【図４０】図３９のピニオンギアを示し、（ａ）はその拡大正面図、（ｂ）はその拡大側面図である。
【図４１】図２６におけるカバー部材付近を示した拡大正面図である。
【図４２】図４１の状態で第１、第２鍵盤ケースを約４５度回動させた状態の拡大正面図である。
【図４３】図４１の状態で第１、第２鍵盤ケースを約９０度回動させた状態の拡大正面図である。
【図４４】図４１の状態で第１、第２鍵盤ケースを約１３５度回動させた状態の拡大正面図である。
【図４５】図４１の状態で第１、第２鍵盤ケースを約１８０度回動させて重ね合わせた状態の拡大正面図である。
【符号の説明】
【００９９】
１、２  第１、第２鍵盤ケース
３  ヒンジ部
４、５  第１、第２鍵盤部
４ａ、５ａ  鍵
６  第１鍵盤ケースの端部
６ａ  前面部
６ｂ  後面部
７  第２鍵盤ケースの端部
７ａ  前面部
７ｂ  後面部
８、４０  カバー部材
１８  第１補強部材
１９  第２補強部材
２０、２３、２６、２９  カバー取付補強部
２４  第３補強部材
２５  第４補強部材
３０、４２  カバー部
３１、４３  連結片
３２  軸取付孔
３３、４６  ガイド溝
３４、４１  連動機構
３５  固定軸
３６  移動軸
４４  連結本体部
４５  連結蓋部
４７  ラック
４８  ピニオンギア
【図１】
2008033216.tif 000003
【図２】
2008033216.tif 000004
【図３】
2008033216.tif 000005
【図４】
2008033216.tif 000006
【図５】
2008033216.tif 000007
【図６】
2008033216.tif 000008
【図７】
2008033216.tif 000009
【図８】
2008033216.tif 000010
【図９】
2008033216.tif 000011
【図１０】
2008033216.tif 000012
【図１１】
2008033216.tif 000013
【図１２】
2008033216.tif 000014
【図１３】
2008033216.tif 000015
【図１４】
2008033216.tif 000016
【図１５】
2008033216.tif 000017
【図１６】
2008033216.tif 000018
【図１７】
2008033216.tif 000019
【図１８】
2008033216.tif 000020
【図１９】
2008033216.tif 000021
【図２０】
2008033216.tif 000022
【図２１】
2008033216.tif 000023
【図２２】
2008033216.tif 000024
【図２３】
2008033216.tif 000025
【図２４】
2008033216.tif 000026
【図２５】
2008033216.tif 000027
【図２６】
2008033216.tif 000028
【図２７】
2008033216.tif 000029
【図２８】
2008033216.tif 000030
【図２９】
2008033216.tif 000031
【図３０】
2008033216.tif 000032
【図３１】
2008033216.tif 000033
【図３２】
2008033216.tif 000034
【図３３】
2008033216.tif 000035
【図３４】
2008033216.tif 000036
【図３５】
2008033216.tif 000037
【図３６】
2008033216.tif 000038
【図３７】
2008033216.tif 000039
【図３８】
2008033216.tif 000040
【図３９】
2008033216.tif 000041
【図４０】
2008033216.tif 000042
【図４１】
2008033216.tif 000043
【図４２】
2008033216.tif 000044
【図４３】
2008033216.tif 000045
【図４４】
2008033216.tif 000046
【図４５】
2008033216.tif 000047